(57)【要約】【課題】交点固定型のフリーアクセスフロアの床パネル支持構造を提供する。【解決手段】フリーアクセスフロアの床パネル支持構造において、共通の支持脚で支持される前記４枚の床パネルは、前記フランジ受部上に支持された各床パネルの隅角部におけるコーナーフランジ部の下面から上面板の上面までの厚さ寸法が厚い床パネルと薄い床パネルとの組み合わせから成る。前記薄い床パネルの隅角部において支持脚の前記フランジ受部上に支持される範囲のコーナーフランジ部の下面に、前記厚い床パネルのコーナーフランジ部の厚さ寸法と一致させる高さに膨出する突起が少なくとも１個設けられている。【選択図】図９
2004232424.tif 000002
【特許請求の範囲】
【請求項１】
ほぼ方形の床パネルが碁盤の目状に敷き並べられ、碁盤の目の各交点位置で４枚の床パネルの隅角部が共通の支持脚で支持されており、
前記床パネルは上面板と底板を重ね合わせて成り、上面板は平坦な板であり、底板は外周形状が上面板と同一で、周辺部に平坦なフランジ部を有し、その内方に前記フランジ部に連続して略垂直に屈曲された周側壁を有しており、
前記上面板と底板はかしめ接合により一体的に結合されており、
前記支持脚は、垂直な支柱の上部に略水平なパネル受部を有し、前記パネル受部の上面にフランジ受部を備えており、
床パネルの隅角部における前記底板のコーナーフランジ部が支持脚の前記フランジ受部上に支持されているフリーアクセスフロアの床パネル支持構造において、
共通の支持脚で支持される前記４枚の床パネルは、前記フランジ受部上に支持された各床パネルの隅角部におけるコーナーフランジ部の下面から上面板の上面までの厚さ寸法が厚い床パネルと薄い床パネルとの組み合わせから成り、
前記薄い床パネルの隅角部において支持脚の前記フランジ受部上に支持される範囲のコーナーフランジ部の下面に、前記厚い床パネルのコーナーフランジ部の厚さ寸法と一致させる高さに膨出する突起が少なくとも１個設けられていることを特徴とする、フリーアクセスフロアの床パネル支持構造。
【請求項２】
コーナーフランジ部が厚い床パネルは、その隅角部において、支持脚のフランジ受部上に支持される範囲のコーナーフランジ部が、上面板の外周縁を底板の外端縁の下側へ折り返したハゼ折り状にかしめ接合されて成ること、
コーナーフランジ部が薄い床パネルは、その隅角部において、支持脚のフランジ受部上に支持される範囲のコーナーフランジ部が、上面板と底板のフランジ部とを重ね合わせてスポット的なかしめ接合により結合されて成ること、
をそれぞれ特徴とする、請求項１に記載したフリーアクセスフロアの床パネル支持構造。
【請求項３】
コーナーフランジ部が厚い床パネルは、その外周縁部に切り欠き形状のケーブル引き出し口を有することを特徴とする、請求項１又は２に記載したフリーアクセスフロアの床パネル支持構造。
【請求項４】
支持脚は、垂直な支柱の上部に、高さの調節が可能で略水平なパネル受部を有し、前記パネル受部の上面に平面的に見ると十字形状に隆起した均等高さのフランジ受部を備え、前記十字形状のフランジ受部の交点部に止めネジをねじ込む下向きのネジ孔を形成された構成であり、
前記支持脚のフランジ受部上に共通に支持された４枚の床パネルは、それぞれの隅角部を、前記ネジ孔へねじ込んだ止めネジにより締め付け固定されていることを特徴とする、請求項１〜３のいずれか一に記載したフリーアクセスフロアの床パネル支持構造。
【請求項５】
コーナーフランジ部が薄い床パネルにおいて、上面板と底板のフランジ部とを重ね合わせてスポット的なかしめ接合により結合されたコーナーフランジ部の下面に膨出する突起は、底板のみをスポット的に膨出させて形成されていることを特徴とする、請求項１〜４のいずれか一に記載したフリーアクセスフロアの床パネル支持構造。
【請求項６】
コーナーフランジ部が薄い床パネルにおいて、上面板と底板のフランジ部とを重ね合わせてスポット的なかしめ接合により結合されたコーナーフランジ部の下面に膨出する突起は、上面板と底板を合一にスポット的に下向きに膨出させたかしめ接合により形成されていることを特徴とする、請求項１〜４のいずれか一に記載したフリーアクセスフロアの床パネル支持構造。
【発明の詳細な説明】
【０００１】
【発明が属する技術分野】
この発明は、建物のコンクリート床上にフリーアクセスフロアを構築する際の床パネル支持構造の技術分野に属し、更に言えば、交点固定型の床パネル支持構造に関する。
【０００２】
【従来の技術】
フリーアクセスフロアを交点固定型の床パネル支持構造で構築する技術は、特許文献１に開示されている。
同じ交点固定型の床パネル支持構造において、共通な支持脚で固定される床パネルの厚さが異なる場合に、厚さ寸法の差を吸収する部品としてパネルセッターを使用した構造は特許文献２に記載されている。
特許文献３には、支持脚の台座（パネル受部）上に載せた床パネルのレベル調整をネジ機構により行う技術が開示されている。
特許文献４〜７には、床パネルを構成する薄鋼板製の上面板と底板をかしめ接合により一体化した技術が開示されている。
【０００３】
【特許文献１】
特開平１０−１２１７０５号公報
【特許文献２】
特許第３１０８１５１号公報
【特許文献３】
実公平６−８１９３号公報
【特許文献４】
特開平８−１００５１１号公報
【特許文献５】
実公平７−５６４３２号公報
【特許文献６】
登録実用新案第３０４８２８１号公報
【特許文献７】
特開平２−９１３５３号公報
【０００４】
【本発明が解決する課題】
フリーアクセスフロアを交点固定型の床パネル支持構造により構築する場合に、共通な一の支持脚で支持される４枚の床パネルの隅角部のコーナーフランジ部の下面から上面板の上面までの厚さ寸法が不揃いで差異があると、その差異が極わずかであっても、フリーアクセスフロアの平面度が損なわれることは勿論のこと、止めネジによる固定力が薄い床パネルに十分働かず均等に固定できないから、がたつきやすいという問題が生ずるので、前記厚さの差異を調整し又は解消する手段が強く要請される。
【０００５】
しかし、上記特許文献２に開示されたように、厚さ寸法の差を吸収する部品としてパネルセッターを使用する技術、或いは特許文献３に記載されているように床パネルのレベル調整をネジ機構により行う技術などは、そうした専用の部品なり機構を採用する分だけコストアップを招来して価格競争に不利である。のみならず、現場におけるフリーアクセスフロアの構築作業に多くの手数と時間がかかり、技術的な熟練を要するなどの欠点、問題点がある。
【０００６】
ところで、上記特許文献４〜７に開示されているように、床パネルを構成する薄鋼板製の上面板と底板をかしめ接合により一体化する製造技術は、従前の溶接による製造技術に比較して数倍も高速の製造を行えるので、コスト面で断然有利な製法として実施が広がっている。
しかし、前記かしめ接合による床パネルの製法によると、後述するように、床パネルの隅角部の共通な一の支持脚で支持される範囲のコーナーフランジ部の下面から上面板の上面までの厚さ寸法が不揃いとなる特異な事情があり、前記厚さ寸法の差異を解消するレベル調節技術の重要性が特に大きい。
【０００７】
本発明の目的は、フリーアクセスフロアを構築する交点固定型の床パネルが上面板と底板を重ね合わせてかしめ接合により一体的に結合する製法で製造される場合に発生する、床パネルの隅角部の共通な一の支持脚で支持される範囲のコーナーフランジ部の下面から上面板の上面までの厚さ寸法に不揃いの差異がある場合に、その差異を解消する手段として、前記コーナーフランジ部の下面に膨出する突起を前記の差異を解消する高さに設け、もって共通な一の支持脚で支持される４枚の床パネルの上面を一平面上に保ち、且つ前記４枚の床パネルの隅角部を均等な強さに固定することが可能なフリーアクセスフロアの床パネル支持構造を提供することである。
本発明の次の目的は、前記の突起を、床パネルの製造時に、かしめ接合の加工と相前後して一連に行い、製造コストの面で有利に実施できる構成とした、フリーアクセスフロアの床パネル支持構造を提供することである。
【０００８】
【課題を解決するための手段】
上記従来技術の課題を解決するための手段として、請求項１に記載した発明に係るフリーアクセスフロアの床パネル支持構造は、
ほぼ方形の床パネルが碁盤の目状に敷き並べられ、碁盤の目の各交点位置で４枚の床パネルの隅角部が共通の支持脚で支持されており、
前記床パネルは上面板と底板を重ね合わせて成り、上面板は平坦な板であり、底板は外周形状が上面板と同一で、周辺部に平坦なフランジ部を有し、その内方に前記フランジ部に連続して略垂直に屈曲された周側壁を有しており、
前記上面板と底板はかしめ接合により一体的に結合されており、
前記支持脚は、垂直な支柱の上部に略水平なパネル受部を有し、前記パネル受部の上面にフランジ受部を備えており、
床パネルの隅角部における前記底板のコーナーフランジ部が支持脚の前記フランジ受部上に支持されているフリーアクセスフロアの床パネル支持構造において、
共通の支持脚で支持される前記４枚の床パネルは、前記フランジ受部上に支持された各床パネルの隅角部におけるコーナーフランジ部の下面から上面板の上面までの厚さ寸法が厚い床パネルと薄い床パネルとの組み合わせから成り、
前記薄い床パネルの隅角部において支持脚の前記フランジ受部上に支持される範囲のコーナーフランジ部の下面に、前記厚い床パネルのコーナーフランジ部の厚さ寸法と一致させる高さに膨出する突起が少なくとも１個設けられていることを特徴とする。
【０００９】
請求項２に記載した発明は、請求項１に記載したフリーアクセスフロアの床パネル支持構造において、
コーナーフランジ部が厚い床パネルは、その隅角部において、支持脚のフランジ受部上に支持される範囲のコーナーフランジ部が、上面板の外周縁を底板の外端縁の下側へ折り返したハゼ折り状にかしめ接合されて成ること、
コーナーフランジ部が薄い床パネルは、その隅角部において、支持脚のフランジ受部上に支持される範囲のコーナーフランジ部が、上面板と底板のフランジ部とを重ね合わせてスポット的なかしめ接合により結合されて成ることをそれぞれ特徴とする。
【００１０】
請求項３に記載した発明は、請求項１又は２に記載したフリーアクセスフロアの床パネル支持構造において、コーナーフランジ部が厚い床パネルは、その外周縁部に切り欠き形状のケーブル引き出し口を有することを特徴とする。
【００１１】
請求項４に記載した発明は、請求項１〜３のいずれか一に記載したフリーアクセスフロアの床パネル支持構造において、
支持脚は、垂直な支柱の上部に、高さの調節が可能で略水平なパネル受部を有し、前記パネル受部の上面に平面的に見ると十字形状に隆起した均等高さのフランジ受部を備え、前記十字形状のフランジ受部の交点部に止めネジをねじ込む下向きのネジ孔を形成された構成であり、
前記支持脚のフランジ受部上に共通に支持された４枚の床パネルは、それぞれの隅角部を、前記ネジ孔へねじ込んだ止めネジにより締め付け固定されていることを特徴とする。
【００１２】
請求項５に記載した発明は、請求項１〜４のいずれか一に記載したフリーアクセスフロアの床パネル支持構造において、
コーナーフランジ部が薄い床パネルにおいて、上面板と底板のフランジ部とを重ね合わせてスポット的なかしめ接合により結合されたコーナーフランジ部の下面に膨出する突起は、底板のみをスポット的に膨出させて形成されていることを特徴とする。
【００１３】
請求項６に記載した発明は、請求項１〜４のいずれか一に記載したフリーアクセスフロアの床パネル支持構造において、
コーナーフランジ部が薄い床パネルにおいて、上面板と底板のフランジ部とを重ね合わせてスポット的なかしめ接合により結合されたコーナーフランジ部の下面に膨出する突起は、上面板と底板を合一にスポット的に下向きに膨出させたかしめ接合により形成されていることを特徴とする。
【００１４】
【発明の実施形態】
以下に、図示した本発明の実施形態を説明する。
先ず図１Ａ、Ｂは、平面視が同大の正方形をなす２種の床パネル１１と２０が碁盤の目状に敷き並べられ、碁盤の目の各交点の位置で、４枚の床パネル１１と２０の隅角部が共通の支持脚１で支持されていることを示す。前記２種の床パネルとは、外周縁部に配線の引き出し用として切り欠き形状のケーブル引き出し口１０を有する床パネル１１と、前記ケーブル引き出し口を有しない床パネル２０とを指す。図１Ａは前記２種の床板パネル１１と２０が２５％混用された実施態様を示し、図１Ｂは５０％混用の実施態様を示している。
【００１５】
次に、図２Ａ、Ｂは上記ケーブル引き出し口１０を有する床パネル１１の構造詳細を示し、図３Ａ、Ｂは上記ケーブル引き出し口を有しない床パネル２０の構造詳細を示している。これら２種の床パネル１１と２０は共に、図２Ｂ及び図３Ｂに示した通り、上面板１１ａ、２０ａと底板１１ｂ、２０ｂを重ね合わせて成ること、上面板１１ａ、２０ａはそれぞれ平坦な板であり、底板１１ｂ、２０ｂは外周形状が上面板と同一で、周辺部に平坦なフランジ部１１ｅ、２０ｅを有し、その内方には前記フランジ部１１ｅ、２０ｅに連続して略垂直に屈曲された周側壁１１ｄ、２０ｄを有しており、前記上面板１１ａ、２０ａと底板１１ｂ、２０ｂはかしめ接合により全体を一体的に結合されている構成が共通している。各床パネル１１と２０は、その四隅の隅角部における前記底板のフランジ部１１ｅ、２０ｅに相当する部分（図２，３を参照。以下、この部分を床パネルのコーナーフランジ部１１ｇ、２０ｇと称する。）が支持脚１で支持されている。
【００１６】
図２Ａ、Ｂに示した上記ケーブル引き出し口１０を有する床パネル１１の実施形態、及び図３Ａ、Ｂに示した上記ケーブル引き出し口を有しない床パネル２０の実施形態について更に説明する。
各床パネルの底板１１ｂ、２０ｂは、そのフランジ部１１ｅ又は２０ｅに連続してほぼ垂直に屈曲された周側壁１１ｄ、２０ｄを有すると共に更にその内方に連続して前記フランジ部と平行な方向に屈曲された底壁を有し、該底壁の範囲に上向きに半球形状の突起物１１ｃ、２０ｃを規則的な配置で複数個有する。上面板１１ａ又は２０ａと底板１１ｂ又は２０ｂは要するに、前記突起物１１ｃ又は２０ｃの項部と上面板１１ａ又は２０ａとの各接点、及び底板のフランジ部１１ｅ又は２０ｅと上面板１１ａ又は２０ａとの重ね合わせ部がそれぞれ、スポット的なかしめ接合２により一体的に結合されている。
【００１７】
図４は、上記ケーブル引き出し口１０を有する床パネル１１の四隅（偶角部）のコーナーフランジ部１１ｇの構造を拡大して示す。この床パネル１１は、図２Ａに示した通り、平行な２辺の外周縁の中央部にケーブル引き出し口１０を有し、同ケーブル引き出し口１０の切り欠きによる断面欠損の分だけ床パネルとしての強度、剛性が低下することを否めない。その対策として、図４ＢにＩＶ−ＩＶ線矢視の断面形状を示した通り、上面板１１ａの外周縁には下向きに直角に曲げたリブ３を形成して補強、補剛効果を高めている。その上で底板のフランジ部１１ｅと上面板１１ａとの重ね合わせ部がスポット的なかしめ接合２により結合されている。
しかし、隅角部の上記支持脚１に支持される範囲のコーナーフランジ部１１ｇについては、前記リブ３の存在自体が支持脚１で支持されることに邪魔であるし、同コーナーフランジ部１１ｇの厚さ寸法が他の床パネル２０のそれと大差を生じて不都合である。そこで図４ＣにＩＶ’−ＩＶ’線矢視の断面形状を示した通り、ケーブル引き出し口１０を有する床パネル１１の四隅の特に支持脚１で支持される範囲のコーナーフランジ部１１ｇに関しては、上面板１１ａの外周縁を底板の外端縁の下側へ略コ字形に折り返して底板のフランジ部１１ｅの外縁を包み込むハゼ折り状４の構造にかしめ接合されている（請求項２記載の発明）。その結果、当該床パネル１１の隅角部において支持脚１で支持される範囲のコーナーフランジ部１１ｇは、実質各板厚ｔの３倍（３ｔ）の厚さ寸法に構成されている（請求項３記載の発明）。
【００１８】
次に、図５は、ケーブル引き出し口を有しない床パネル２０の四隅（隅角部）のコーナーフランジ部２０ｇの構造を拡大して示す。図５ＢにＶ−Ｖ線矢視の断面形状を示した通り、この床パネル２０のコーナーフランジ部は全て、上面板２０ａと底板２０ｂの周辺部のフランジ部２０ｅとを重ね合わせ、スポット的なかしめ接合２…により一体的に結合した構成とされている（請求項２記載の発明）。したがって、この床パネル２０の隅角部において支持脚１で支持される範囲のコーナーフランジ部２０ｇは、実質各板厚の２倍（２ｔ）の厚さに構成されている。よって、上記ケーブル引き出し口１０を有する床パネル１１の上記コーナーフランジ部１１ｇの厚さ寸法（３ｔ）よりも板１枚分の厚さ（１ｔ）だけ薄い。
【００１９】
そこで当該ケーブル引き出し口を有しない床パネル２０の薄いコーナーフランジ部２０ｇについては、四隅（隅角部）の特に支持脚１で支持される範囲のコーナーフランジ部２０ｇの下面に、図５Ａと図６に示した通り、上記ケーブル引き出し口１０を有する床パネル１１の四隅（隅角部）の特に支持脚１で支持される範囲のコーナーフランジ部１１ｇの厚さ寸法（３ｔ）と一致させる高さに膨出する突起５が設けられている（以上請求項１記載の発明）。
【００２０】
図６に示す突起５は、上面板２０ａの上面から突起５の先端までの寸法が３ｔとなるように精度良く加工されている。従って、上記２種の床パネル１１と２０の隅角部における支持脚１で支持される範囲のコーナーフランジ部１１ｇと２０ｇの厚さ寸法の差異は、突起５によって完全に解消されている。
図６はまた、床パネル２０の前記突起５は、底板２０ｂのフランジ部２０ｅのみをスポット的に膨出させる加工により形成されていることを示す（請求項５記載の発明）。
もっとも、突起５は、例えば図６において隣接する位置のかしめ接合２を、その高さ寸法を調整して利用することも出来る。又は別途に前記かしめ接合２と同様に上面板２０ａと底板２０ｂとを合一にスポット的に下向きに膨出させる加工により突起５を形成して実施することもできる（請求項６に記載した発明）。
図６において、上面板２０ａと底板２０ｂを一体的に結合したかしめ接合２は、底板２０ｂのフランジ部下面の下方へ膨出する突起を発生させる深絞りのかしめ加工であることを示している。図６中の符号６は、上面板２０ａと底板２０ｂを一体化するかしめ接合の前処理として、上面板２０ａと底板２０ｂとを所定の関係位置に仮付けした仮止め部を示す。この仮止め部６は、上面板２０ａの該当位置へ予め下孔をあけておいて、底板２０ｂの該当部位を前記下孔へ押し込む加工で行われている。
【００２１】
次に、上記した床パネル１１、２０を碁盤の目状に敷き並べてフリーアクセスフロアを構築する際に、碁盤の目の各交点位置で４枚の床パネルの隅角部を共通に支持する交点固定型の支持脚１について説明する。
既述した特許文献１に開示されて公知であるが、図７と図８に示した支持脚１は、支柱（ボルト）の下端のベースプレート１Ａを、建物のコンクリート床７に墨出しをして定めた各位置へ接着するかアンカーで止める等の手段で固定して垂直に立てる。前記支柱の上部に略水平なパネル受部８を有し、これに付属するナット８Ａを前記ボルトに対して回すことにより、床上高さを調節する、いわゆるレベル出しができる。パネル受部８の上面には、これを平面的に見ると、十字形状に隆起した均等高さのフランジ受部１２を備えている。前記フランジ受部１２の交点部には、床パネル１１、２０の隅角部を固定した止めネジ９の頭の上面を床パネルの上面以下に沈み込ませる深さの凹部１５が形成され、前記凹部１５の底面中央に止めネジ９をねじ込む下向きのネジ孔１４が形成されている。
一方、上記の各床パネル１１、２０の隅角部の角（頂点部）には、前記の凹部１５の中へほぼぴったりと密着しつつ進入して納まる被固定部１１ｆ、２０ｆが形成されている。
共通な一の支持脚１で支持される４枚の床パネル１１、２０は、それぞれの隅角部の角の前記被固定部１１ｆ、２０ｆを前記凹部１５の中へ１／４円弧ずつの配分で進入させて納め、止めネジ９をネジ孔１４へねじ込んで均等な強さに締め付けて固定し交点固定型のパネル支持構造が実施される（請求項１、４に記載した発明）。
【００２２】
上記のパネル支持構造において、上記２種の床パネル１１と２０の隅角部のコーナーフランジ部１１ｇと２０ｇは、支持脚１のパネル受部８における一つの共通なフランジ受部１２の上に、同フランジ受部８の幅寸を二等分した領域を占有して支持される。そして、各床パネル１１と２０の底板の周側壁１１ｄ、２０ｄの隅角部分はそれぞれ十字形状をなすフランジ受部１２の側面に２直角面がぴったり当たった状態で支持されるので、位置ズレなどは決して生じない高安定構造に支持される。
そして、２種の床パネル１１及び２０の隅角部のコーナーフランジ部１１ｇと２０ｇに上述の事情で発生する厚さ寸法の差異は、ケーブル引き出し口を有しない床パネル２０の隅角部における特に支持脚１のパネル受部（のフランジ受部１２）で支持される範囲のコーナーフランジ部２０ｇの下面に設けた上記突起５により完全に解消された（図９参照）から、構築したフリーアクセスフロアの上面は一平面に形成され、交点部を人が歩いたり台車類が走行してもガタピシ振動するような不都合は決して生じない。ひいては交点固定型の支持構造として止めネジ９を締め付けた際にも、４枚の床パネルの隅角部は均等な強さに固定でき、高安定の交点固定型の床パネル支持構造を速やかに実現できる。
上記したような作用効果を考慮すると、上記したコーナーフランジ部２０ｇの厚さ寸法が薄い床パネル２０に設ける突起５は、できるだけ止めネジ９による固定点に近い位置に設けることが好ましい。
【００２３】
上記した実施形態は、ケーブル引き出し口１０を有する床パネル１１と、ケーブル引き出し口を有しない床パネル２０とが、その機能乃至構造の相違により、四隅のコーナーフランジ部１１ｇと２０ｇの厚さ寸法に差異が発生する場合について説明したが、この限りではない。フリーアクセスフロアを構築する床パネルに、他の種々な理由により、支持脚で支持される範囲のコーナーフランジ部の厚さ寸法に差異を生ずる場合が考えられ、その何れの場合にも、厚さ寸法が薄い床パネルの隅角部において支持脚１のパネル受部（のフランジ受部１２）で支持される範囲のコーナーフランジ部の下面に厚さ寸法を一致させる高さの突起５を設けることにより完全に解決できる。突起５の形成法も、図６に示したかしめ加工等による膨出構造に限る理由はない。
【００２４】
【発明が奏する効果】
請求項１〜６に記載した発明に係るフリーアクセスフロアの床パネル支持構造によれば、碁盤の目の各交点位置で４枚の床パネルの隅角部が共通の支持脚で支持される床パネル支持構造において、床パネルの隅角部の前記支持脚で支持される範囲のコーナーフランジ部の厚さ寸法に不揃いによる差異がある場合には、厚さ寸法が薄い床パネルのコーナーフランジ部の下面に厚さ寸法を一致させる高さに膨出する突起を設ける、極めて簡単で単純な手法により、厚さ寸法の差異を調整し又は解消するから、床パネルの製造上、及びフリーアクセスフロアの構築作業の上で極めて有利である。即ち、床パネルの製造単価を引き上げることがなく、また、フリーアクセスフロアを構築する作業に熟練は格別必要なく、その施工能率並びに施工品質の向上に大きく寄与する。
【図面の簡単な説明】
【図１】Ａ、Ｂはフリーアクセスフロアを構築する床パネルが混用される二態様を概念的に示した平面説明図である。
【図２】Ａはケーブル引き出し口を有する床パネルを示した底面図、Ｂは前記Ａ図のＩＩ−ＩＩ線矢視の拡大した断面図である。
【図３】Ａはケーブル引き出し口を有しない床パネルを示した底面図、Ｂは前記Ａ図のＩＩＩ−ＩＩＩ線矢視の拡大した断面図である。
【図４】ケーブル引き出し口を有する床パネルの四隅の一つを拡大して示した底面図、ＢとＣはＩＶ−ＩＶ線およびＩＶ’−ＩＶ’線矢視の拡大断面図である。
【図５】ケーブル引き出し口を有しない床パネルの四隅の一つを拡大して示した底面図、ＢはＶ−Ｖ線矢視の拡大断面図である。
【図６】図５のＶＩ−ＶＩ線矢視の拡大断面図である。
【図７】交点固定型の支持脚の例を示した斜視図である。
【図８】交点固定型パネル支持構造を左半分を断面にして示す立面図である。
【図９】隅角部のコーナーフランジ部の厚さ寸法が不揃いの床パネルの支持構造を拡大して示す断面図である。
【符号の説明】
１        支持脚
８        パネル受部
９        止めネジ
１１ａ    上面板
２０ａ    上面板
１１ｃ    突起物
２０ｃ    突起物
１１ｄ    周側壁
２０ｄ    周側壁
１１ｅ    フランジ部
２０ｅ    フランジ部
１１ｇ    コーナーフランジ部
２０ｅ    コーナーフランジ部
１１ｂ    底板
２０ｂ    底板
２        かしめ接合
１２      フランジ受部
５        突起
１０      ケーブル引き出し口
１１      ケーブル引き出し口を有する床パネル
２０      ケーブル引き出し口を有しない基本パネル
【図１】
2004232424.tif 000003
【図２】
2004232424.tif 000004
【図３】
2004232424.tif 000005
【図４】
2004232424.tif 000006
【図５】
2004232424.tif 000007
【図６】
2004232424.tif 000008
【図７】
2004232424.tif 000009
【図８】
2004232424.tif 000010
【図９】
2004232424.tif 000011